(57)【要約】【課題】平面型スピーカを具えた電気機器に於いて、枠体をより薄型化する。【解決手段】平面型スピーカユニットは、枠体1内に、音声を出力する透明な振動板2と、該振動板2を振動させる振動供給部4と、振動板2の内側に位置して情報を示す表示装置3を具え、振動板2と表示装置3とは隙間を設けて重なり、表示装置3の画像は振動板2を通して視覚される。振動板2は周縁部が枠体1に載置され、固定されている。【選択図】    図４
2005080044.tif 000002
【特許請求の範囲】
【請求項１】
枠体(１)内に、音声を出力する透明な振動板(２)と、該振動板(２)を振動させる振動供給部(４)と、振動板(２)の内側に位置して情報を示す表示装置(３)を具え、振動板(２)と表示装置(３)とは隙間を設けて重なり、表示装置(３)の画像は振動板(２)を通して視覚され、
振動板(２)は周縁部が枠体(１)に載置されて固定されていることを特徴とする平面型スピーカユニット。
【請求項２】
振動供給部(４)は、コイル(40)及びマグネット(42)を含み、コイル(40)及びマグネット(42)は何れか一方が振動板(２)に、他方が枠体(１)に取り付けられ、振動供給部(４)は、矩形状の表示装置(３)の周縁に対向して複数配備された、請求項１に記載の平面型スピーカユニット。
【請求項３】
振動板(２)の周縁部は、中央部に比して薄肉に形成された、請求項１又は２に記載の平面型スピーカユニット。
【請求項４】
振動板(２)の周縁部には、位置決め凸部(20)が形成され、コイル(40)は振動板(２)の下面にて位置決め凸部(20)に嵌められた、請求項１乃至３の何れかに記載の平面型スピーカユニット。
【請求項５】
表示装置(３)は、液晶パネル、有機ＥＬディスプレイ、無機ＥＬディスプレイの何れかである、請求項１乃至４の何れかに記載の平面型スピーカユニット。
【請求項６】
請求項１乃至５の何れかに記載の平面型スピーカユニットを具えた電気機器。
【発明の詳細な説明】
【技術分野】
【０００１】
本発明は、平面型スピーカユニット、及び該平面型スピーカユニットを具えた携帯電話等の電気機器に関する。
【背景技術】
【０００２】
携帯電話等の表示装置の前面に配置する平面型スピーカとして、次のようなものが公知である。図１０は、表示装置の前面に平面型スピーカを配置した斜視図、図１１は、図１０の平面型スピーカをＢ−Ｂ線を含む面にて破断した断面図、図１２は、図１１のＣ部の拡大図である(特許文献１参照)。
従来の平面型スピーカは、透明な振動板(２)と振動供給部(４)から構成されており、振動板(２)の一端部に対応して、振動板(２)を振動させる振動供給部(４)が設けられている。振動供給部(４)は、マグネット部材(41)と、振動板(２)上に設けられたコイル(40)とを具える。マグネット部材(41)は、ケース(44)とヨーク(43)と該ヨーク(43)に覆われるマグネット(42)とによって構成される。
コイル(40)に音声信号に基づく電気信号を流すと、コイル(40)から磁力線が発生する。該磁力線がマグネット(42)(42)(42)の磁界と作用して、振動板(２)が上下に振動する。これにより、振動板(２)から音声が出力される。
上記の平面型スピーカは、携帯電話等の電気機器の筐体(８)内に、クッション(19)を介して、透明な振動板(２)を取り付け、該振動板(２)の下方に液晶パネルである表示装置(３)を設けている。前記筐体(８)には、振動板(２)及び表示装置(３)に対向して窓孔(18)が開設されている。これにより、振動板(２)を通して、表示装置(３)の画像を視覚できる。
【特許文献１】実用新案登録３０７８０２２号(図２)
【発明の開示】
【発明が解決しようとする課題】
【０００３】
現在、携帯電話等の電気機器では、筐体(８)の薄型化が求められている。前記筐体(８)の薄型化を進める為に、振動板(２)と表示装置(３)の距離は短くなるように配置することが好ましい。ところが、特許文献１に開示された電気機器では、筐体(８)内部に平面型スピーカと表示装置(３)とが別々に独立して配備される。そのため、前記電気機器の組立工程に於いて、振動板(２)と表示装置(３)との上下間隔を管理するのが難しく、振動板(２)と表示装置(３)が接触する等による不良が発生するとの問題があった。
本発明の目的は、平面型スピーカ及び表示装置を具えた電気機器に於いて、筐体(８)をより薄型化することにある。
【課題を解決するための手段】
【０００４】
枠体(１)内に、音声を出力する透明な振動板(２)と、該振動板(２)を振動させる振動供給部(４)と、振動板(２)の内側に位置して情報を示す表示装置(３)を具え、振動板(２)と表示装置(３)とは隙間を設けて重なり、表示装置(３)の画像は振動板(２)を通して視覚され、振動板(２)は周縁部が枠体(１)に載置されて固定されている。
【発明の効果】
【０００５】
振動板(２)は周縁部が枠体(１)に載置されているから、振動板(２)の高さ位置はバラ付きが少ない。振動板(２)と表示装置(３)は重なった状態で、ともに枠体(１)に固定されているから、振動板(２)と表示装置(３)の間隔は高い精度で位置決めすることができ、振動板(２)と表示装置(３)が接触するという問題を防ぐことができる。そのため、振動板(２)と表示装置(３)の距離をできるだけ狭くすることができ、電気機器の筐体(８)を薄型化できる。
【発明を実施するための最良の形態】
【０００６】
(全体構成)
以下、本発明の一例を図を用いて詳述する。
図１及び図２は、本例に係わる平面型スピーカユニット(７)を用いた電気機器の斜視図であり、図１は携帯電話機を、図２はＰＤＡ(personal digital assistant、携帯端末機器)を夫々示す。図１の携帯電話機にあっては、平面型スピーカユニット(７)は、筐体(８)に収納される。該筐体(８)は、複数の操作釦(50)(50)を具えた補助キャビネット(５)にヒンジ(51)接続され、音声が平面型スピーカユニット(７)から流れる。図２のＰＤＡにあっては、平面型スピーカユニット(７)を収納した筐体(８)内に操作釦(50)(50)を設け、アクセスしたウエブサイトからの音声が平面型スピーカユニット(７)から流れる。
【０００７】
(平面型スピーカユニットの構成)
図３は、平面型スピーカユニット(７)の正面図であり、図４は、図３をＥ−Ｅ線を含む面にて破断した断面図である。平面型スピーカユニット(７)は、枠体(１)内に、画像を写す表示装置(３)及び音声を出力する振動板(２)を、隙間を設けて重ねて構成される。枠体(１)は、軽量化の要請に鑑みて絶縁性の合成樹脂から形成される。
枠体(１)には矩形状の第１凹面(10)が設けられ、該第１凹面(10)内に該表示装置(３)及び振動板(２)が設けられる。振動板(２)は透明光学フィルムから形成される。
枠体(１)の上面と振動板(２)の中央部は、略同一面内に位置し、振動板(２)の外周部は湾曲して、外周縁が第１凹面(10)の周縁に接する。振動板(２)は外周部が第１凹面(10)の周縁部に載置されて接着剤等で取り付けられる。後記の如く、振動板(２)は外周部が中心部よりも薄く形成されている。
枠体(１)内にて第１凹面(10)の内側には、一段低めて第２凹面(11)が設けられ、該第２凹面(11)内に開設された取付け穴(14)に、液晶パネルである表示装置(３)が嵌まる。
【０００８】
第２凹面(11)上にて表示装置(３)の外側には、第２凹面(11)の長辺方向に沿って、下面が開口(13)した放音孔(12)(12)が開設され、振動板(２)が振動すると、枠体(１)内の空気は放音孔(12)(12)から出入する。
第２凹面(11)上にて表示装置(３)の外側には、第２凹面(11)の短辺方向に沿って、矩形に巻いたコイル(40)(40)が設けられており、該コイル(40)(40)は表示装置(３)を挟んで配備される。即ち、コイル(40)(40)は振動板(２)の両端部に対応して設けられており、これにより振動板(２)は両端部が同じ振幅にて振動する。
各コイル(40)は振動板(２)から下向きに突出した位置決め凸部(20)に嵌まる。コイル(40)が位置決め凸部(20)に嵌まることにより、コイル(40)の取付け位置はバラ付かない。尚、コイル(40)は透明な振動板(２)に覆われているから、コイル(40)が振動板(２)の上から見えるが、前記筐体(８)にて、コイル(40)を遮蔽してもよい。
【０００９】
表示装置(３)は、前記の如く、液晶パネルであって、図５の断面図に示すように、ガラス製の基板(30)(30)間に液晶(31)を封入し、基板(30)の外面に偏光板(32)を貼り付けている。下側の基板(30)はバックライト(33)に対向し、基板(30)に通電すると、液晶(31)の配向が変化して、バックライト(33)の光を透過させる。周知の如く、基板(30)への通電と遮断を切り換えて、画像を表示する。
【００１０】
図６は、図３をＤ−Ｄ線を含む面にて破断した断面図であり、図７は図６のＦ部分の拡大図である。第２凹面(11)の縁部には、マグネット部材(41)が設けられ、前記位置決め凸部(20)は該マグネット部材(41)に対向し、コイル(40)とマグネット部材(41)とによって振動板(２)を振動させる振動供給部(４)を構成する。
図７に示すように、マグネット部材(41)は、マグネット(42)の周面及び底面をヨーク(43)にて覆って構成され、該マグネット部材(41)は第２凹面(11)上に設けられた位置決め凹み(15)に嵌まる。これにより、マグネット部材(41)の取付け位置がバラ付くことは防止される。
振動板(２)は外周部の厚みｔ２が中心部の厚みｔ１よりも薄く形成されている。コイル(40)は振動板(２)の外周部に設けられているから、振動板(２)は外周部が振動しやすくなっている。この場合、振動板(２)の全体を薄くすることも考えられるが、これでは振動板(２)が逆に振動し易くなり、不要な音まで発生させる可能性がある。また、振動板(２)の全体が薄いと、使用者が手で振動板(２)を不用意に押したときに、振動板(２)が変形し易くなる。従って、外周部の厚みｔ２を中心部の厚みｔ１よりも薄く形成して不要な音の発生及び振動板(２)の変形を防いでいる。具体的には振動板(２)の外周部の厚みｔ２は２０−７５μｍであり、中心部の厚みｔ１は１００−１５０μｍである。
【００１１】
(振動供給部)
図８に拡大して示すように、マグネット部材(41)から真上に出力する磁束は、振動板(２)の位置決め凸部(20)を通るだけで振動板(２)を振動させない。
しかし、マグネット部材(41)から側方へ斜め上向きに出力する磁束は、コイル(40)を通る。即ち、磁束はヨーク(43)に吸収されて、ヨーク(43)の近傍に位置するコイル(40)を通りやすくなる。コイル(40)に交流を通電すると(図８ではコイル(40)の右側にて、電流が紙面裏側から表側に向かって流れる)、フレミングの法則に従って、コイル(40)が上向きに振動する。コイル(40)が取り付けられた振動板(２)が振動し、音声が出力される。前記の如く、振動板(２)を介して表示装置(３)の画像を見ることができる。表示装置(３)と音声を発生する振動板(２)が対向し、且つ接近しているから、自然で臨場感がある画像及び音声を視聴できる。
【００１２】
(本例の効果)
本例に於ける平面型スピーカユニットにあっては、以下の効果がある。
１．振動板(２)は周縁部が枠体(１)に載置されているから、振動板(２)の高さ位置はバラ付きが少ない。振動板(２)と表示装置(３)は重なった状態で、ともに枠体(１)に固定されているから、振動板(２)と表示装置(３)の上下間隔は高い精度で位置決めすることができ、振動板(２)と表示装置(３)が接触するとの問題を防ぐことができる。そのため、振動板(２)と表示装置(３)の距離をできるだけ狭くすることができ、電気機器の筐体(８)を薄型化できる。
特に、平面型スピーカユニットを組み込む電気機器のメーカーでの製造工程にて、振動板(２)と表示装置(３)の上下間隔を管理する必要が無く、作業性がよい。
２．スピーカを構成する振動板(２)は矩形状であるから、枠体(１)上のスペースを無駄なく利用できる。即ち、スピーカは一般に円形であるが、振動板(２)を円形に形成して、表示装置(３)に重ねると、図１３に斜線で示すように、振動板が無く音声を出力しない無駄な部分(２a)が生じる。本例では、振動板(２)は矩形状であるから、このような無駄な部分(２a)は生じず、振動板(２)を大きく形成できるから、低音が出やすく、音質を向上できる。
【００１３】
上記例では、放音孔(12)は下面が開口(13)しているとしたが、該開口(13)をメッシュシート(図示せず)にて覆い、撥水効果を持たせても良い。
また、コイル(40)は第２凹面(11)上に２つ設けられているが、図９に示すように、表示装置(３)の各縁に対向して４つ設けられても良い。
また、振動板(２)は外周部の厚みｔ２が中心部の厚みｔ１よりも薄く形成されているが、振動板(２)を均一な厚みｔ２に形成し、中心部に補強板(図示せず)を張り付けて、振動板(２)の中心部を補強してもよい。
【００１４】
上記例では、振動板(２)にコイル(40)を、第２凹面(11)内にマグネット部材(41)を設けているが、振動板(２)にマグネット部材(41)を、第２凹面(11)内にコイル(40)を設けてもよい。
また、振動板(２)は第１凹面(10)の周縁部に接着剤等で取り付けられるとしたが、押さえ部材(図示せず)にて振動板(２)を第１凹面(10)の周縁部に押さえつけて取り付けてもよい。
更に、表示装置(３)として液晶パネルを例示したが、これに代えて、有機ＥＬ(electroluminescence display)ディスプレイ、無機ＥＬディスプレイでもよい。ここでＥＬディスプレイとは、ガラス基板に発光体を蒸着した周知の構成であり、有機ＥＬディスプレイは発光体にジアミン等の有機物を、無機ＥＬディスプレイは発光体に硫化亜鉛等の無機物を夫々用いる。表示装置(３)としてＥＬディスプレイを用いると、バックライト(33)は不要になる。
【００１５】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
上記例では、平面型スピーカユニットを携帯電話機、ＰＤＡに使用することを例示したが、デジタルカメラやデジタルビデオに用いてもよい。
【図面の簡単な説明】
【００１６】
【図１】携帯電話機の斜視図である。
【図２】ＰＤＡの斜視図である。
【図３】平面型スピーカユニットの正面図である。
【図４】図３をＥ−Ｅ線を含む面にて破断した断面図である。
【図５】液晶パネルの断面図である。
【図６】図３をＤ−Ｄ線を含む面にて破断した断面図である。
【図７】図６のＦ部分の拡大図である。
【図８】マグネット部材の拡大図である。
【図９】別の平面型スピーカユニットの正面図である。
【図１０】従来の平面型スピーカユニットの斜視図である。
【図１１】図１０の平面型スピーカユニットをＢ−Ｂ線を含む面にて破断した断面図である。
【図１２】図１１のＣ部の拡大図である。
【図１３】望ましくない平面型スピーカユニットの正面図である。
【符号の説明】
【００１７】
(１)  枠体
(２)  振動板
(３)  表示装置
(４)  振動供給部
(20)  位置決め凸部
(40)  コイル
(42)  マグネット
【図１】
2005080044.tif 000003
【図２】
2005080044.tif 000004
【図３】
2005080044.tif 000005
【図４】
2005080044.tif 000006
【図５】
2005080044.tif 000007
【図６】
2005080044.tif 000008
【図７】
2005080044.tif 000009
【図８】
2005080044.tif 000010
【図９】
2005080044.tif 000011
【図１０】
2005080044.tif 000012
【図１１】
2005080044.tif 000013
【図１２】
2005080044.tif 000014
【図１３】
2005080044.tif 000015